(57)【要約】【課題】圧板の背景部材の色変更を容易且つ低コストにて実現する。【解決手段】背景部材４は、一方の面が白色面ＷＳ、他方の面が黒色面ＢＳとされている。圧板３の短尺側の内側面には、略中央に位置する連結部２０Ａにおいて、上部支持部材５の一端が回動可能に取り付けられる。背景部材４の短尺側の外側面には、略中央に位置する連結部２０Ｂにおいて、下部支持部材６の一端が、少なくとも１８０°の回動が可能に取り付けられる。上部支持部材５の他端と下部支持部材６の他端とがヒンジ部２１で回動可能に連結される。同様の構成が、圧板３および背景部材４の反対側の側面にも設けられる。背景部材４を圧板３から離間させて１８０°回転させることで、白色面ＷＳと黒色面ＢＳとが切り替わり、背景部材の色変更が行われる。【選択図】図２
2011223461.tif 000002
【特許請求の範囲】
【請求項１】
圧板に背景部材を固定し、該背景部材とコンタクトガラスとの間に原稿を挟んで原稿画像の読み取り動作を行なう画像読み取り装置であって、
一方の面が白色とされ、他方の面が黒色とされた背景部材と、
前記原稿画像の読み取り動作時に前記背景部材が固定される圧板と、
前記背景部材と前記圧板とを、該背景部材が連結点を支点として少なくとも１８０°回動可能となるように離間可能に連結する支持部材と
を備える
ことを特徴とする画像読み取り装置。
【請求項２】
前記支持部材は、１または複数箇所で折り曲げ可能な棒状または板状である
ことを特徴とする請求項１に記載の画像読み取り装置。
【請求項３】
前記支持部材は、１の棒状または板状である
ことを特徴とする請求項１に記載の画像読み取り装置。
【請求項４】
前記圧板は、前記支持部材との連結部を該圧板の該連結部を含む辺方向に移動可能とした可動機構を有する
ことを特徴とする請求項３に記載の画像読み取り装置。
【請求項５】
前記支持部材は、パンタグラフ構造を有する
ことを特徴とする請求項１に記載の画像読み取り装置。
【請求項６】
前記支持部材は、前記離間の方向に弾性材で付勢されている
ことを特徴とする請求項１乃至請求項５の何れか１項に記載の画像読み取り装置。
【請求項７】
前記支持部材は、前記圧板と前記背景部材とを離間させる方向の弾性を有する弾性材である
ことを特徴とする請求項１に記載の画像読み取り装置。
【請求項８】
前記支持部材は、紐状部材である
ことを特徴とする請求項１に記載の画像読み取り装置。
【請求項９】
前記支持部材は、前記圧板と前記背景部材とが、該背景部材が１８０°回動可能に離間した状態で該圧板と該背景部材とを引き寄せる方向に弾性を有する紐状の弾性材である
ことを特徴とする請求項１に記載の画像読み取り装置。
【請求項１０】
前記背景部材を前記圧板に対して着脱自在に固定する仮固定機構をさらに備える
ことを特徴とする請求項１乃至請求項９の何れか１項に記載の画像読み取り装置。
【発明の詳細な説明】
【技術分野】
【０００１】
本発明は、圧板を用いて原稿をコンタクトガラスに押し付けて原稿画像を読み取る画像読み取り装置に関する。
【背景技術】
【０００２】
従来から、スキャナなどに代表される画像読み取り装置では、原稿載置部となる透明なコンタクトガラス上に原稿を置き、圧板で原稿を押さえて原稿を読み取る方式が一般的に用いられている。この方式によれば、コンタクトガラスの裏面側から原稿に対して光を照射させ、この光による原稿からの反射光をＣＣＤ(Charge Coupled Device)などの受光素子で受光して、原稿画像を読み取った画像データを得る。
【０００３】
圧板の原稿押圧面には背景部材が設けられる。この背景部材の色を、目的に応じて白色および黒色で切り替える技術が知られている。背景部材を黒色とした場合には、原稿読取り前に露光面となる原稿載置部上のゴミを検知したり、原稿が混載して違うサイズの原稿が紛れ込んだ際に、黒色の背景部材との濃度面積比により該当サイズを計算したり、更には黒色の背景により原稿と背景部材との境界を認識してスキューにより傾いた原稿を補正したりしている。一方、背景部材を白色とすることにより、読み取り画像の縁に黒い線筋が発生するのを抑えると共に白色の読取データを画像補正のための基準データとして用いている。
【０００４】
ところで、圧板の背景部材の色は、白色で用いることが多いと考えられる。背景部材を白色とすると、例えば薄紙に両面印刷された原稿を読み取るような場合には、原稿を読み取った画像データに対して、原稿の入力面とは裏側の面の画像が写り込む現象が発生してしまう。従来から、圧板の背景部材が白色の場合において薄紙に両面印刷した原稿を読み取る際に、反射率の低い黒色の紙を原稿の裏に載せて、裏面側の画像が写り込む現象を防止していた。
【０００５】
ここで、使用者が常に黒色の用紙を用意しているとは限らない。そのため、圧板の背景部材の色として、白色と黒色とを用意している画像読み取り装置が知られている。このような画像読み取り装置では、圧板の背景部材の表面を白色とし、裏面を黒色とする例が多い。この場合、圧板の背景部材を白色の背景部材から黒色の背景部材へと取り替える必要が生じ、背景部材の取り外しおよび取り付けという作業が発生するため、使用者の手間がかかる。
【０００６】
これを回避するために、黒色部分と白色部分とを交互に配置したシートを背景部材として用意し、このシートをスライドさせて圧板の背景部材の色を切り替える技術が知られている。また、特許文献１には、圧板の色／濃度を電気的な制御により変えられる機構を設ける技術が開示されている。
【先行技術文献】
【特許文献】
【０００７】
【特許文献１】特開２００７−３０９９６９号公報
【発明の概要】
【発明が解決しようとする課題】
【０００８】
しかしながら、黒色部分と白色部分とを交互に配置したシートを背景部材として用いる場合、このシートをスライドさせるための複雑な機構が必要となり、コストが嵩んでしまうという問題点があった。
【０００９】
また、特許文献１では、背景部材として液晶パネルなどの、表示濃度を切り替え可能な表示デバイスと、この表示デバイスを駆動制御するための装置を設けることが必要となり、コストが嵩んでしまうという問題点があった。
【００１０】
本発明は、上記に鑑みてなされたものであって、圧板の背景部材の色変更を容易且つ低コストにて実現することを目的とする。
【課題を解決するための手段】
【００１１】
上述した課題を解決し、目的を達成するために、本発明は、圧板に背景部材を固定し、背景部材とコンタクトガラスとの間に原稿を挟んで原稿画像の読み取り動作を行なう画像読み取り装置であって、一方の面が白色とされ、他方の面が黒色とされた背景部材と、原稿画像の読み取り動作時に背景部材が固定される圧板と、背景部材と圧板とを、背景部材が連結点を支点として少なくとも１８０°回動可能となるように離間可能に連結する支持部材とを備えることを特徴とする。
【発明の効果】
【００１２】
本発明によれば、圧板の背景部材の色変更が容易且つ低コストにて実現可能であるという効果を奏する。
【図面の簡単な説明】
【００１３】
【図１】図１は、本発明の各実施形態に共通して適用可能な画像読み取り装置の外観を概略的に示す略線図である。
【図２】図２は、本第１の実施形態による背景部材および圧板の構成例を示す略線図である。
【図３】図３は、仮固定機構を説明するための略線図である。
【図４】図４は、本発明の第１の実施形態の構成によって背景部材が原稿に当接する面を切り替える動作を説明するための図である。
【図５】図５は、本発明の第１の実施形態の構成によって背景部材が原稿に当接する面を切り替える動作を説明するための図である。
【図６】図６は、本発明の第１の実施形態の構成によって背景部材が原稿に当接する面を切り替える動作を説明するための図である。
【図７】図７は、本発明の第１の実施形態の構成によって背景部材が原稿に当接する面を切り替える動作を説明するための図である。
【図８】図８は、本発明の第１の実施形態の構成によって背景部材が原稿に当接する面を切り替える動作を説明するための図である。
【図９】図９は、本発明の第１の実施形態の構成によって背景部材が原稿に当接する面を切り替える動作を説明するための図である。
【図１０】図１０は、本発明の第２の実施形態による背景部材および圧板の構成例を示す略線図である。
【図１１】図１１は、本発明の第２の実施形態の変形例による背景部材および圧板の構成例を示す略線図である。
【図１２】図１２は、本発明の第３の実施形態による背景部材および圧板の構成例を示す略線図である。
【図１３】図１３は、本発明の第４の実施形態による背景部材および圧板の構成例を示す略線図である。
【図１４】図１４は、本発明の第５の実施形態による背景部材および圧板の構成例を示す略線図である。
【図１５】図１５は、本発明の第６の実施形態による背景部材および圧板の構成例を示す略線図である。
【図１６】図１６は、本発明の第７の実施形態による背景部材および圧板の構成例を示す略線図である。
【図１７】図１７は、本発明の他の実施形態による背景部材および圧板の構成例を示す略線図である。
【発明を実施するための形態】
【００１４】
以下に添付図面を参照して、本発明に係る画像読み取り装置の実施形態を詳細に説明する。本発明では、画像読み取り装置の圧板に取り付けられる背景部材を、圧板との連結を保ちつつ圧板から離間可能とする。そして、背景部材の一方の面を白色、他方の面を黒色として、背景部材を、圧板から離間させた状態で短尺方向を軸に回転させることで、白色面と黒色面とを切り替えるようにしている。
【００１５】
図１は、本発明の各実施形態に共通して適用可能な画像読み取り装置の外観を概略的に示す。この画像読み取り装置は、一般的なフラットベッドスキャナであって、スキャナ本体１に対して圧板３がヒンジ部３０Ａおよび３０Ｂで開閉自在に取り付けられている。図１の例では、ヒンジ部３０Ａおよび３０Ｂは、圧板３の長尺側の側部に設けられている。
【００１６】
スキャナ本体１において、圧板３を閉じた際に圧板３に対向する原稿載置部２は、透明なコンタクトガラスからなる。圧板３には、原稿載置部２と対向する面に背景部材４が取り付けられている。背景部材４は、一方面が白色（白色面ＷＳと呼ぶ）、他方の面が黒色（黒色面ＢＳと呼ぶ）とされている。スキャナ本体１の内部には、光源と、主走査方向に画素が並べられたＣＣＤ(Charge Coupled Device)などによる受光素子とからなる光学ユニットが設けられる（図示しない）。
【００１７】
なお、背景部材４の材質は、原稿をコンタクトガラスに押し付けることが可能であれば、特に限定されない。一例として、合成樹脂を用いて背景部材４を構成することができる。また、背景部材４の形態は、形状が固定的な形状である板状であってもよいし、撓みなどの変形が比較的容易なシート状であってもよい。以下では、背景部材４が板状であるものとして説明する。
【００１８】
原稿画像の読み取りの際には、原稿載置部２に原稿を置き、圧板３を閉じて圧板３および背景部材４で原稿を押さえる。光学ユニットが副走査方向に移動して、光源からコンタクトガラスを介して原稿に照射された光の反射光を受光素子で受光することにより、原稿画像の読み取りが行われる。
【００１９】
＜第１の実施形態＞
本発明の第１の実施形態を説明する。図２は、本第１の実施形態による背景部材４および圧板３の構成例を示す。なお、図２は、圧板３を上述した図１におけるＡ方向から見た図である。これは、以下の各図において、特に記載のない限り共通であるものとする。また、図２において、図１と共通する部分には同一の符号を付し、詳細な説明を省略する。
【００２０】
図２の例では、背景部材４は、ヒンジ部２１で回動可能に連結された上部支持部材５および下部支持部材６からなる支持部材により、圧板３に対して取り付けられている。より具体的には、圧板３の短尺側の内側面には、略中央に位置する連結部２０Ａにおいて、上部支持部材５の一端が回動可能に取り付けられる。背景部材４の短尺側の外側面には、略中央に位置する連結部２０Ｂにおいて、下部支持部材６の一端が、少なくとも１８０°の回動が可能に取り付けられる。上部支持部材５の他端と下部支持部材６の他端とがヒンジ部２１で回動可能に連結される。同様の構成が、圧板３および背景部材４の反対側の側面にも設けられる。
【００２１】
なお、圧板３は、図２に例示されるように、背景部材４とヒンジ部２１で折り畳まれた支持部材とを収納可能なように、原稿載置部２と対向する面に凹部が設けられているものとする。
【００２２】
原稿読み取り時に圧板３を使用する場合、上部支持材５および下部支持材６は、ヒンジ部２１で折り畳まれて圧板３内部に格納され、背景部材４は、圧板３に固定される。図２の例では、背景部材４は、白色面ＷＳが原稿に当接する向きに固定されている。なお、詳細を後述するように、背景部材４は、支持部材による連結を保ちつつ圧板３から離間可能とされているので、背景部材４の圧板３に対する固定は、仮の固定となる。
【００２３】
背景部材４の圧板３への仮固定方法は、特に限定されない。使用者が容易に脱着可能な仮固定方法を採用するのが望ましい。一例として、図３に例示されるように、背景部材４の所定位置に、圧板３に対して仮固定を行う仮固定機構１７を設ける。仮固定機構１７としては、面ファスナ、フック構造、磁石などを用いる方法が考えられる。
【００２４】
なお、図２の例では、圧板３と背景部材４とを連結する支持部材が１箇所のヒンジ部２１により２つ折りにされるものとして説明したが、これはこの例に限らず、支持部材は、３つ折り以上に折り畳めるようにしてもよい。
【００２５】
図４〜図９を用いて、本第１の実施形態の構成によって背景部材４が原稿に当接する面を白色面ＷＳから黒色面ＢＳへと（またはその逆方向に）切り替える場合の動作について説明する。下記の動作は、例えば、スキャナ本体１に対して圧板３を９０°以上開いた状態にして行う。
【００２６】
図４は、背景板４を圧板３から引き離し離間させている状態を示す。上部支持材５および下部支持材６は、圧板３の連結部２０Ａ、背景部材４の連結部２０Ｂおよび支持部材のヒンジ部２１を支点として動作する。例えば、背景部材４を圧板３から離れる方向に移動させる。
【００２７】
図５は、上述の図４の状態を、図１のＢ方向、すなわち圧板３および背景部材４の長尺側から見た例を示す。圧板３の内側面に対し、上部支持部材５が連結部２０Ａで連結され、上部支持部材５の内側に、ヒンジ部２１で下部支持部材６が連結され、下部支持部材６が連結部２０Ｂで背景部材４の外側面に連結される。反対側にも、上部支持部材５’、ヒンジ部２１’、下部支持部材６’、ならびに、連結部２０Ａ’および２０Ｂ’により、同様の構造が設けられている。
【００２８】
図４および図５の状態から、背景部材４を圧板３からさらに離していき、背景部材４と圧板３とが最も離れた状態になった例を図６に示す。この図６の状態から、背景部材の原稿への当接面を白色面ＷＳから黒色面ＢＳに切り替えるために、背景部材４を回転させる。
【００２９】
すなわち、図７に例示されるように、背景部材４を、下部支持部材６との連結部２０Ｂを支点として１８０°回転させる。ここで、背景部材４は、連結部２０Ｂを支点として１８０°回転されるため、背景部材４と圧板３との距離は、背景部材４の短尺の１／２より長いことが必要である。
【００３０】
図８は、背景部材４を１８０°回転させた後の状態の例を示す。背景部材４が原稿に当接する面が黒色面ＢＳに切り替わっている。この状態から支持部材を折り畳み、背景部材４を圧板３に固定した状態の例を図９に示す。背景部材４は、黒色面ＢＳが原稿への当接面となって圧板３に固定される。この状態で圧板３を閉じることで、原稿の背景色を黒色とした読み取りを行うことができる。
【００３１】
このように、本第１の実施形態では、圧板の背景部材を、一方の面が白色、他方の面が黒色のものを使用し、それを取り外すことなく回転させることで、読み取り動作の際の原稿の背景色を切り替えることができる。そのため、原稿の背景色変更（黒色から白色もしくは白色から黒色）を、使用者が簡単な手順で実施できる。
【００３２】
また、構造がシンプルなため、実施コストを低く抑えることができる。さらに、支持部材にて背景部材４を圧板３に対して連結しているので、背景色の切り替え時に、背景部材４を紛失するおそれが無い。加えて、容易に背景色が変更できることで、読み取り失敗による再読み取りの回数も低くなり、作業効率の向上、消費電力の低減の効果も期待できる。
【００３３】
また、本第１の実施形態では、支持部材を折り畳み可能な構造としているため、支持部材を圧板３に対してコンパクトに収納することができる。
【００３４】
＜第２の実施形態＞
次に、本発明の第２の実施形態について説明する。図１０は、本第２の実施形態による背景部材４および圧板３の構成例を示す。なお、図１０および以下の各図において、図１および図２と共通する部分には同一の符号を付し、詳細な説明を省略する。
【００３５】
図１０に例示されるように、本第２の実施形態では、圧板３と背景部材４とを、１本の棒状の支持部材７により連結する。すなわち、支持部材７の一端が圧板３に対して連結部２０Ａで回動可能に連結され、他端が背景部材４に対して、背景部材４の短尺側の側面の略中央に位置する連結部２０Ｂで回動可能に連結される。なお、支持部材７は、棒状に限らず、板状でもよい。図１０に例示される側面の反対側の側面でも、同様の構造が設けられる（図示しない）。
【００３６】
この場合でも、背景部材４を連結部２０Ｂを支点とした１８０°の回転が可能となるように、背景部材４と圧板３との距離が背景部材４の短尺の１／２より長くなるように、棒状部材７の長さなどが決定される。背景部材４の原稿に当接される面を白色面ＷＳおよび黒色面ＢＳの間で切り替える動作は、図４〜図９を用いて説明した動作と略同様なので、ここでの説明を省略する。
【００３７】
このように、本第２の実施形態では、上述の第１の実施形態よりも構造がさらにシンプルとなる。したがって、圧板３と背景部材４とを連結する支持部材を、棒状部材２本のみで構成できるため、実施コストがより低く抑えられる。
【００３８】
＜第２の実施形態の変形例＞
次に、本発明の第２の実施形態の変形例について説明する。図１１は、本第２の実施形態の変形例による背景部材４および圧板３の構成例を示す。本変形例では、図１１に例示されるように、圧板３と支持部材７とを連結する連結部２０Ａに対し、連結部２０Ａが圧板３の連結部２０Ａを含む辺方向に移動可能なように、レールなどを用いた可動構造１６を設ける。これにより、連結部２０Ａを、使用者側に適した位置に移動させて背景部材４を回転させることが可能となり、作業効率の向上を図ることができる。
【００３９】
＜第３の実施形態＞
次に、本発明の第３の実施形態について説明する。図１２は、本第３の実施形態による背景部材４および圧板３の構成例を示す。本第３の実施形態では、圧板３と背景部材４とを、４つの支持部材８〜１１を用いたパンタグラフ構造により連結する。
【００４０】
より具体的には、圧板３の連結部２０Ａにおいて、第１の上部支持部材８および第２の上部支持部材９それぞれの一端が回動可能に取り付けられる。背景部材４の連結部２０Ｂにおいて、第１の下部支持部材１０および第２の下部支持部材１１それぞれの一端が回動可能に取り付けられる。第１の上部支持部材８の他端と第１の下部支持部材１０の他端とがヒンジ部２１Ａで回動可能に連結される。第２の上部支持部材９の他端と第２の下部支持部材１１の他端とがヒンジ部２１Ｂで回動可能に連結される。第１の上部支持部材８および第１の下部支持部材１０、ならびに、第２の上部支持部材９および第２の下部支持部材１１は、ヒンジ部２１Ａおよび２１Ｂが離間するように、互いに反対方向に折れ曲がるようにされる。同様の構成が、圧板３および背景部材４の反対側の側面にも設けられる。
【００４１】
この場合でも、背景部材４を連結部２０Ｂを支点とした１８０°の回転を可能とするために、背景部材４と圧板３との距離が背景部材４の短尺の１／２より長くなるように、４つの支持部材８〜１１の長さなどが決定される。背景部材４の原稿に当接される面を白色面ＷＳおよび黒色面ＢＳの間で切り替える動作は、図４〜図９を用いて説明した動作と略同様なので、ここでの説明を省略する。
【００４２】
このように、本第３の実施形態では、圧板３と背景部材４とをパンタグラフ構造により連結しているので、背景部材４の圧板３からの離間動作、ならびに、背景部材４の圧板３への収納動作が安定する。すなわち、本第３の実施形態では、支持部材をパンタグラフ構造にすることにより支持部材の安定感が構造上、増すため、背景色の切り替えをより容易に行うことができる。
【００４３】
＜第４の実施形態＞
次に、本発明の第４の実施形態について説明する。図１３（ａ）および図１３（ｂ）は、本第４の実施形態による背景部材４および圧板３の構成例を示す。本第４の実施形態では、上述した第２の実施形態または第３の実施形態に対し、圧板３に対して支持部材で連結された背景部材４の移動を、弾性体を用いて自動的に行うことができるようにしたものである。
【００４４】
図１３（ａ）は、本第４の実施形態を上述した第３の実施形態に適用させた例である。例えば、パンタグラフ構造の連結部２１Ａおよび２１Ｂの間に、弾性体１２Ａを設ける。背景部材４が圧板３に仮固定されている間は、弾性体１２Ａが伸びて蓄勢状態となっているので、仮固定を解除すると、弾性が連結部２１Ａおよび２１Ｂを互いに引き寄せる方向に働き、背景部材４の圧板３からの離間を自動的に行うことが可能となる。
【００４５】
図１３（ｂ）は、本第４の実施形態を上述した第２の実施形態に適用させた例である。例えば、支持部材７の任意の位置と圧板３との間に弾性体１２Ｂを設ける。背景部材４が圧板３から離間されている間は、弾性体１２Ｂが伸びて蓄勢状態となっているので、圧板３から離間させた背景部材４を、圧板３に対して自動的に引き寄せることが可能になる。
【００４６】
同様に、本第４の実施形態を上述した第１の実施形態に適用することもできる。この場合には、例えば上部支持部材５の中点と、下部支持部材６の中点との間に弾性体を設ける。背景部材４が圧板３から離間されている間は、弾性体が伸びて蓄勢状態となっているので、圧板３から離間させた背景部材４を、圧板３に対して自動的に引き寄せることが可能になる。
【００４７】
なお、弾性体１２Ａや１２Ｂは、両端を引き寄せる方向に弾性が働くものであればよく、バネ材（コイルバネなど）やゴム材などを用いることができる。
【００４８】
このように、本第４の実施形態では、支持部材が離間方向に弾性材で付勢されているため、背景部材４の圧板３からの離間動作、または、背景部材４を圧板３の方向に引き戻す動作が自動的になされ、使用者の作業効率の向上が図られる。
【００４９】
＜第５の実施形態＞
次に、本発明の第５の実施形態について説明する。図１４は、本第５の実施形態による背景部材４および圧板３の構成例を示す。本第５の実施形態では、圧板３と背景部材４とを、弾性体からなる支持部材１３で連結する。支持部材１３は、背景部材４を圧板３から離間させる方向に弾性が働くように構成する。この場合、支持部材１３は、背景部材４の圧板３への仮固定を解除すると、圧板３と背景部材４とを離間する方向に動作する。
【００５０】
支持部材１３は、背景部材４を圧板３から離間させる方向に弾性を働かせることが可能であれば種類は問わない。例えば、鋼材による板バネを支持部材１３として用いることができる。
【００５１】
このように、本第５の実施形態では、圧板３と背景部材４とを連結する支持部材１３として弾性体を使用するため、背景部材４を圧板３から自動的に離間させることができ、使用者の作業効率の向上が図られる。
【００５２】
＜第６の実施形態＞
次に、本発明の第６の実施形態について説明する。図１５は、本第６の実施形態による背景部材４および圧板３の構成例を示す。本第６の実施形態では、圧板３と背景部材４とを、紐状部材による支持部材１４で連結する。支持部材１４は、所定以上の強度がある紐状部材であれば種類は問わない。圧板３と背景部材４との連結を紐状部材を用いて行うため、構造がシンプルになり、よりコストを低く抑えることができる。
【００５３】
＜第７の実施形態＞
次に、本発明の第７の実施形態について説明する。図１６は、本第７の実施形態による背景部材４および圧板３の構成例を示す。本第７の実施形態では、圧板３と背景部材４とを、紐状の弾性体による支持部材１５で連結する。支持部材１５は、圧板３と背景部材４とを離間させた状態で収縮する方向に弾性が働くように構成する。
【００５４】
支持部材１５として適用可能な紐状弾性体は、特に種類を限定されないが、例えばゴム材を用いることができる。バネ材を支持部材１５として用いてもよい。支持部材１５は、圧板３と背景部材４とを、背景部材４を１８０°回転可能な距離まで離間させ、支持部材１５を伸張させた状態で弾性範囲内にある紐状弾性体を選択する。
【００５５】
このように、本第７の実施形態では、圧板３と背景部材４とを、紐状弾性体からなる支持部材１５で連結し、圧板３と背景部材４とを離間させる際に支持部材１５が伸張するように構成しているため、支持部材１５の長さを短くすることが可能である。またそれにより、構造をコンパクトに収めることができ、コストもより低く抑えることができる。
【００５６】
＜他の実施形態＞
上述の各実施形態では、圧板３と背景部材４とを連結する支持部材が、背景部材４の短尺側の両側の側面に設けられるように説明したが、この例に限られない。例えば、背景部材４の短尺側の片側の側面のみに支持部材を設けるようにすることも可能である。また、支持部材は、背景部材４の長尺側の側面に設けるようにしてもよい。
【００５７】
背景部材４の短尺側（または長尺側）の片側の側面のみに支持部材を設ける場合、図１７に外観が概略的に例示されるように、圧板３と背景部材４とを、回転構造とヒンジ構造とを有する支持部材４０で連結することも考えられる。これによれば、背景部材４が原稿に当接する面を白色面ＷＳおよび黒色面ＢＳの間で切り替える際には、先ず、背景部材４を支持部材４０のヒンジ構造を支点として圧板３から引き起こし、背景部材４の片側を圧板３から離間させる。その後、背景部材４を、支持部材４０の回転構造により１８０°回転させ、ヒンジ構造を支点として圧板３側に倒す。
【符号の説明】
【００５８】
１  スキャナ本体
２  原稿載置部
３  圧板
４  背景部材
５，５’  上部支持部材
６，６’  下部支持部材
７，１３，１４，１５，４０  支持部材
８  第１の上部支持部材
９  第２の上部支持部材
１０  第１の下部支持部材
１１  第２の下部支持部材
１２Ａ，１２Ｂ  弾性体
１６  可動構造
１７  仮固定機構
２０Ａ，２０Ｂ  連結部
２１，２１Ａ，２１Ｂ  ヒンジ部
３０Ａ，３０Ｂ  ヒンジ部
【図１】
2011223461.tif 000003
【図２】
2011223461.tif 000004
【図３】
2011223461.tif 000005
【図４】
2011223461.tif 000006
【図５】
2011223461.tif 000007
【図６】
2011223461.tif 000008
【図７】
2011223461.tif 000009
【図８】
2011223461.tif 000010
【図９】
2011223461.tif 000011
【図１０】
2011223461.tif 000012
【図１１】
2011223461.tif 000013
【図１２】
2011223461.tif 000014
【図１３】
2011223461.tif 000015
【図１４】
2011223461.tif 000016
【図１５】
2011223461.tif 000017
【図１６】
2011223461.tif 000018
【図１７】
2011223461.tif 000019